(57)【要約】【課題】  種々の構造をしている床パネルを共通の支持脚で支えても、位置ずれ（擦れ音の発生）が起こらないようにする。【解決手段】  コーナー先端に上面から陥没する低段部と、低段部の外周から立ち上がる起立部から所定間隔をおいて降りるコーナー側面部との間に逆Ｕ字形の首部が形成される四角形の床パネルを、基礎床面上に立設されるネジ支柱に取り付けられ、上面に首部に挿入する高堰部を有する載せ盤で支持する床パネルの支持構造において、高堰部の厚みを首部の内外周で隙間を有するものにし、かつ高堰部の内周に首部の内周側に突出して首部の圧接によって変形が可能な変形部を形成したことを特徴とする床パネルの支持構造。【選択図】  図１
2008156900.tif 000002
【特許請求の範囲】
【請求項１】
コーナー先端に上面から陥没する低段部と、低段部の外周から立ち上がる起立部から所定間隔をおいて降りるコーナー側面部との間に逆Ｕ字形の首部が形成される四角形の床パネルを、基礎床面上に立設されるネジ支柱に取り付けられ、上面に首部に挿入する高堰部を有する載せ盤で支持する床パネルの支持構造において、高堰部の厚みを首部の内外周で隙間を有するものにし、かつ高堰部の内周に首部の内周側に突出して首部の圧接によって変形が可能な変形部を形成したことを特徴とする床パネルの支持構造。
【請求項２】
載せ盤の上面に、床パネルの対角線を挟む両側に形成される一対の位置決め側面部を突き当てて床パネルを位置決めする突当部を形成した請求項１の床パネルの支持構造。
【請求項３】
位置決め側面部が床パネルの辺方向に沿って延びる辺側面部であり、突当部が隣接する床パネルの辺側面部間に挿入される仕切り部の側面に形成される請求項２の床パネルの支持構造。
【請求項４】
位置決め側面部が床パネルの底面に形成された孔内周に辺方向に沿って延びる孔側面部であり、突当部が孔内に挿入されるピン状突起部の側面に形成される請求項２の床パネルの支持構造。
【請求項５】
変形部が縦リブに形成される請求項１〜４いずれかの床パネルの支持構造。
【請求項６】
変形部が弾性体で形成される請求項１〜４いずれかの床パネルの支持構造。
【請求項７】
低段部にネジ支柱に螺入されるパネル押えが嵌め込まれる請求項１〜６いずれかの床パネルの支持構造。
【発明の詳細な説明】
【技術分野】
【０００１】
本発明は、床パネルを基礎床面上に支持する床パネルの支持構造に関する。
【背景技術】
【０００２】
従来、床パネルの端部同士が接触して擦れ音を発生させないように、隣接する床パネル同士に１ｍｍ程度の隙間ができるように床パネルを位置決めした状態で支持脚の載せ盤上に載置した後、パネル押えを支持脚に締め付けて床パネルを固定する場合があった。
【０００３】
例えば、特許文献１の支持脚では、床パネルのコーナー先端の低段部から対角線方向に続いて形成された低段部より高い逆Ｕ字形の首部を支持脚の載せ盤に設けた高堰部に係合させるとともに、載せ盤に設けた仕切り部を隣接する床パネルの側面部間に入り込ませることにより床パネルを位置決めし、床パネルのコーナー先端の低段部を載せ盤の受面部とパネル押えの頭部で上下から挟圧して固定している。
【０００４】
また、特許文献２の支持脚（支柱）では、床パネルの底面に形成された位置決め用の孔部に支持脚に設けられた位置決め用の突起部を挿入して位置決めするとともに、特許文献１の高堰部と同様に、床パネル（フロアパネル）のコーナーに形成された首部（リブ嵌入凹所）に挿入する第二の位置決め部を載せ盤（受け部カバー）に設ける他、隣接する床パネルの縁鍔部間に当接して縁鍔部間に一定の隙間を形成する第一の位置決め部により床パネルを位置決めし、皿ねじのような固着具を挿通したパネル押え（押え部材）で床パネルのコーナーの低段部（押え片）を上方より押えた状態で固着具を支持脚に締め込んで床パネルを固定している。
【０００５】
このような位置決め構造に共通しているのは、床パネルや載せ盤の製造誤差を吸収するために、どうしても両者間の嵌め合いに余裕を持たせておく必要があり、これにより、床パネルの位置ずれを完全に防ぐことが難しかったことである。
【０００６】
さらに、オフィスビル等では、人が頻繁に行き来する通路部には高強度タイプの床パネルを、事務スペースとなる居室部には一般強度タイプの床パネルを敷設する場合があるが、この場合、両タイプの床パネルにパネル押えを共通で使用するために、床パネルの低段部の寸法をパネル押えの頭部の寸法に合わせて統一しておくのが一般的である。
【０００７】
図９は従来例の床パネルの支持構造を示す平面図、図１０は図９のＡ´−Ｏ−Ａ断面図であるが、鋼板製の床パネルの場合、左側の芯材ａを封入した一般強度タイプ（Ａ）と、右側の鋼板のみの高強度タイプ（Ｂ）とがあり、一般強度タイプ（Ａ）の方が高強度タイプ（Ｂ）の床パネルよりも材料となる鋼板の板厚が薄いため、パネル押えｂの頭部の寸法に合わせて統一設定された低段部ｃの外周側裏面に位置する首部ｄの幅が広くなってしまい、幅が狭い方の床パネルに合わせて寸法設定された支持脚の載せ盤ｅを共用して床パネルを載置すると、幅が広い方の床パネルでは首部ｄと高堰部ｈの間や床パネルの側面部ｉと仕切り部ｆとの間に隙間が発生し、外力がかかったときに床パネル同士が接触して（位置がずれて）擦れ音を発生させてしまう。
【０００８】
なお、一般強度タイプ（Ａ）には芯材ａを封入しない中空構造のものもあり、その場合は、鋼板の板厚を逆に厚くして強度を高めているから、首部ｄの幅は狭くなっている。また、高強度タイプ（Ｂ）にも芯材を封入する中実構造のものがあり、その場合は、鋼板の板厚を逆に薄くしているから、首部ｄの幅は広くなっている。このため、以下では、強度別タイプという表現は避けて幅広タイプと幅狭タイプと称する（総称して幅広狭別タイプと称する）。鋼板の板厚が最も薄いものは芯材ａを封入した一般強度タイプ（Ａ）で、最も鋼板の板厚が大きいのは中空構造の高強度タイプ（Ｂ）となり、首部ｄの幅は最大で約２ｍｍの差が発生する。
【０００９】
さらに、敷設作業中や養生期間中等、支持脚を基礎床面に固着する接着剤が乾いていない段階で支持脚の位置ずれが発生し、床パネル同士の隙間が狂った状態で固着されてしまう虞もある。また、支持脚を基礎床面に固着しない置敷タイプのものであれば、通常の使用状態においても支持脚の位置ずれが発生し、床パネル同士の隙間が狂ってしまう虞がある。
【００１０】
一方、上記とは反対に、首部ｄの幅を幅広狭別タイプが異なる床パネルであっても統一しておく場合もあるが、今度は反対に、パネル押えｂの頭部外周面と首部ｄの内周側に位置する起立部ｇとの間に隙間が発生し、この隙間が床面に凹凸となって現れるから好ましくない。以上の問題点を克服するためには、床パネルの幅広狭別タイプ毎に高堰部ｈの寸法を設定した専用の載せ盤ｅを使用するしかないが、コスト高となってしまう。また、その場合であっても、現実的には通路部と居室部の境目部分では板厚の厚い方の床パネル用の支持脚を共通で使用することになるから、床パネルの位置ずれは防止できないことになる。
【００１１】
さらに、特許文献２固有の問題点として、位置決め構造が突起部や第一及び第二の位置決め部のように多種になって構造が複雑になる上に、厚みが薄い床パネルの縁鍔部の端部間に幅の狭い第一の位置決め部を当接介在させているため、第一の位置決め部が潰れてしまったり、床パネルの縁鍔部が乗り上げてしまったりして、十分な位置決め効果が発揮されない点が指摘される。
【特許文献１】特開２００１−０４９８５６号公報
【特許文献２】特開２００３−２３２１２４号公報
【発明の開示】
【発明が解決しようとする課題】
【００１２】
本発明は、鋼板の厚みが異なる複数の幅広狭別タイプの床パネルであっても、共通した支持脚の載せ盤で位置ずれを防止して床パネル間の適正な隙間を確保できるようにしたものである。
【課題を解決するための手段】
【００１３】
以上の課題の下、本発明は、請求項１に記載した、コーナー先端に上面から陥没する低段部と、低段部の外周から立ち上がる起立部から所定間隔をおいて降りるコーナー側面部との間に逆Ｕ字形の首部が形成される四角形の床パネルを、基礎床面上に立設されるネジ支柱に取り付けられ、上面に首部に挿入する高堰部を有する載せ盤で支持する床パネルの支持構造において、高堰部の厚みを首部の内外周で隙間を有するものにし、かつ高堰部の内周に首部の内周側に突出して首部の圧接によって変形が可能な変形部を形成したことを特徴とする床パネルの支持構造を提供する。
【００１４】
さらに、本発明は、以上の支持構造において、請求項２に記載した、載せ盤の上面に、床パネルの対角線を挟む両側に形成される一対の位置決め側面部を突き当てて床パネルを位置決めする突当部を形成した手段、請求項３に記載した、位置決め側面部が床パネルの辺方向に沿って延びる辺側面部であり、突当部が隣接する床パネルの辺側面部間に挿入される仕切り部の側面に形成される手段、請求項４に記載した、位置決め側面部が床パネルの底面に形成された孔内周に辺方向に沿って延びる孔側面部であり、突当部が孔内に挿入されるピン状突起部の側面に形成される手段を提供したものである。
【００１５】
また、本発明は、以上の支持構造において、請求項５に記載した、変形部が縦リブに形成される手段、請求項６に記載した、変形部が弾性体で形成される手段、請求項７に記載した、低段部にネジ支柱に螺入されるパネル押えが嵌め込まれる手段を提供する。
【発明の効果】
【００１６】
請求項１の手段によると、幅広狭別タイプや製作誤差（これも避けられない）によって首部の内外方向の幅が広狭するものであっても、高堰部は首部に干渉することなく挿入される。すなわち、首部の内周側（起立部）が常に変形部に干渉し、変形部が変形することで挿入が確保される。一方、高堰部の外周と首部の外周側（コーナー側面部）との間には隙間が確保されているのであるから、首部の幅の広狭にかかわらず、支障なく挿入されることになる。このことは、どの幅広狭別タイプの床パネルであっても、低段部の寸法を統一しておけばよいとともに、載せ盤は共通のものを使用できることを意味し、コストの低減に寄与する。
【００１７】
もちろん、変形部が変形できる範囲には限度があるが、一般に、幅広狭別タイプには、一般強度タイプと高強度タイプのそれぞれに中空と中実の各二種類しかなく、これらの四種類における首部の幅の寸法差に対応するように変形部の変形範囲は設定されており、問題はない。すなわち、幅広狭別タイプや製作誤差によって床パネルの首部の幅が広い場合でも、首部の内周側は常に変形部に当接してこれを変形させるのであり、内周側と変形部との間には位置ずれを引き起こす隙間を生じさせないのである。ただ、首部の幅が広い場合は、変形部の変形量が少ないというだけのものである。
【００１８】
請求項２〜４の手段によると、床パネルの位置決め側面部が突当部に当接するまで床パネルを支持脚側に、又は反対に支持脚を床パネル側に押し当てることにより、床パネルの低段部側への移動及び水平面内での回転ずれが規制され、首部と高堰部とを正規の位置関係で嵌め合わせることが容易、かつ確実になるし、請求項５の手段によると、変形部を載せ盤と一体に樹脂成形すれば変形が可能となり、低コストでの供給が可能であるし、請求項６の手段によれば、載せ盤を金属製とした場合であっても、変形部を別体で取り付けることができる。さらに、請求項７の手段によると、パネル押えの床パネルに対する押圧力により、変形部の変形が促進されて床パネルのセットが容易、かつ確実になる。
【発明を実施するための最良の形態】
【００１９】
以下、本発明の実施の形態を図面を参照して説明する。図１は本発明の支持脚と床パネルとの関係を示す分解斜視図、図２は本発明の支持脚を用いた床パネルの敷設状態を示す平面図、図３は図２のＡ´−Ｏ−Ａ断面図であるが、床パネルの支持構造は、四角形をした床パネル１のコーナーの位置で基礎床面２上に置かれる支持脚３と、支持脚３で支持された床パネル１を支持脚３に固定するパネル押え４とからなる。
【００２０】
このうち、支持脚３は、基礎床面２上に適宜固着されて置かれる接地板５から倒れに対して十分な剛性を有するネジ支柱６が上延しているものであり、ネジ支柱６に螺合したナット７（ナット７は受け盤８にカシメ固定されている）で受け盤８を受け止め、更に受け盤８で床パネル１を載せる載せ盤９を支持したものである。この場合において、載せ盤９は、ポリエチレン等の樹脂の成形品で構成され、その外周端が下方に屈曲して受け盤８の外周を包み込んでおり、中央部に受け盤８の中に突入する筒胴部２３が形成されたものである。
【００２１】
床パネル１（図中左側の芯材を封入した一般強度タイプ１（Ａ）と、右側の鋼板のみの高強度タイプ１（Ｂ）を総称して指す）は、上部が開口する縁付容器状をした下面板２４に平板状の上面板２５を被せて外周を巻き込んで接合した構造の鋼板製のもので、全周に上面板２５と下面板２４との重合フランジを有している（図示省略）。コーナー先端の重合フランジに四半径円状の切欠部２６を有する低段部１０が四半径円状に段押し形成されるものであり、対角線方向には低段部１０の外周の起立部２７から所定間隔隔てて下面板２４の縦壁であるコーナー側面部１１ａが降りているものである。したがって、起立部２７とコーナー側面部１１ａとの間には逆Ｕ字形のポケットが形成されることになり、これを首部１２とする。コーナー側面部１１ａの両端からは位置決め側面部として辺側面部１１ｂが辺方向に延びている。
【００２２】
起立部２７の両端部上面から辺方向には、辺縁２８に沿って下方に肉厚となった厚肉縁部１３が辺側面部１１ｂ近くまで延びて形成されている。この厚肉縁部１３は、上面板２５の外周による下面板２４の水平フランジの巻き込みによって得られるものであり、下面側へ巻き込んだ上面板２５の板厚分だけ重合フランジから下方へ突出した厚肉状となっている。この他、起立部２７の上端から続く上面は平坦な上面１４に形成され、コーナー側面部１１ａ及び辺側面１１ｂの下端からは同じく平坦な底面１５に形成されている。
【００２３】
パネル押え４は、円板状の頭部１６と頭部１６よりも径の小さな胴部１７とからなるものである。この頭部１６は、４枚の床パネル１のコーナーが集合状態で円形状となる低段部１０の中に隙間なく入り込む径と、床パネル１の上面１４と面一となる厚みを有している。胴部１７は、同じく円状となる切欠部２６の中に入り込む径を有し、その外周が載せ盤９の中央に形成された筒胴部２３中央の貫通孔２９の内周に摺接しており、その中心には、ネジ支柱６に螺合できるネジ部が形成されている。
【００２４】
以上の床パネル１は、支持脚３の載せ盤９の上に載せられるが、この場合の載せ盤９は、最内周に低段部１０の下方に存在する水平な受面部１８が形成され、受面部１８の内周端から筒胴部２３が形成され、筒胴部２３の中心には胴部１７が入り込む貫通孔２９が形成されている。受面部１８の外周側に続く対角線方向には受面部１８から高堰部１９が四等分の位置に所定の厚みで環状に起立しており、高堰部１９の周方向の間には高堰部１９よりは背の低い低堰部２１が同じく四カ所に同じ厚みで形成されている。さらに、低堰部２１の外周には低堰部２１よりも背の低い仕切部２２が適当な長さで帯状に起立しており、その外方端部の両側面には縦リブ状に隆起した突当部２２ａが形成され、高堰部１９、低堰部２１及び仕切部２２の根元から外側は平坦な載せ部２０に形成されている。
【００２５】
この場合、受面部１８の載せ部２０からの高さを、床パネル１の底面１５から低段部１０の下面までの高さよりも低く設定し、高堰部１９の高さも、同様に首部１２の上端までの高さよりも若干低く設定している他、低堰部２１の高さも、厚肉縁部１３の下面までの高さよりも低く設定している。また、床パネル１の辺縁２８間には擦れ音を発生させないために１ｍｍ程度の隙間が形成されることから、仕切部２２における突当部２２ａ部分の幅はこの隙間分に床パネル１の辺縁２８から辺側面部１１ｂまでの長さの倍を加えたものにしている。
【００２６】
本発明では、高堰部１９や低堰部２１の厚みは首部１２の幅より狭く設定されている。この場合、両者の中心の径はほぼ同じに設定されており、載せ盤９の上に床パネル１を置くと、高堰部１９の内周と外周とは首部１２の内周（起立部２７）と外周（コーナー側面部１１ａ）との間で相当の隙間を有するものになっている。床パネル１の鋼板の板厚の違いによって首部１２の幅に広狭があっても、高堰部１９が支障なく首部１２に挿入されるようにするためである。
【００２７】
加えて、本発明では、高堰部１９の内周に変形部として変形量を大きくとれる縦リブ３０を形成している。この縦リブ３０は、高堰部１９と一体的に形成され、これに首部１２の内周が干渉する場合は、縦リブ３０が変形して高堰部１９が首部１２に挿入できるようにしている。この縦リブ３０は、高堰部１９の内周に点在して低段部１０の中心に向かって放射状に形成されるものであり、一つの高堰部１９に２〜４個程度設けるのが好ましい（本例では２個）。縦リブ３０を放射状としたのは、低段部１０に倣って四半径円状に形成された首部１２の内周面（起立部２７の外周面）に縦リブ３０を垂直に当接させて圧縮変形させるためであって、斜めに当接させて曲げ変形する場合と比べると縦リブ３０が破損し難くなるからである。また、２個にしたのは、回転ずれに対して最低限必要だからである。
【００２８】
次に、床パネル１の支持脚３への載せ方であるが、ナット７を上下して載せ盤９を所定の高さに調整したなら、床パネル１の低段部１０を挟む両側の辺側面部１１ｂが、高堰部１９を挟む両側の突当部２２ａにそれぞれ当接するまで低段部１０側に押し込んで底面１５を載せ部２０の上に置く。続いて、支持脚３の高堰部１９を挟む両側の突当部２２ａが、床パネル１の低段部１０を挟む両側の辺側面部１１ｂにそれぞれ当接するまで床パネル１側に押し込んで底面１５を載せ部２０の上に置き、支持脚３を基礎床面２に接着する。これにより、床パネル１の低段部１０側への移動は突当部２２ａによって規制され、首部１２は常に正規の位置関係で高堰部１９に嵌まり込むと同時に、起立部２７が縦リブ３０に当接して変形する。このため縦リブ３０の上端角部は面取りしたテーパー部に形成されており、起立部２７の嵌まり込みを容易にしている。この状態が床パネル１が正規の位置にセットされた状態であり、このような操作を繰り返しながら床パネル１を敷き詰めると、各床パネル１は適当な間隔（設定された間隔）を保持して敷設される。
【００２９】
次いで、パネル押え４を低段部１０に嵌め込んでネジ支柱６に螺合して行くと、その胴部１７の外周が載せ盤９の筒胴部２３の内周に摺接しながら下降して互いに位置ずれ及び変形を規制し合い、頭部１６は低段部１０の中に入り込んでその裏面で低段部１０を押さえ付ける。このときでも、多くの場合、低段部１０の裏面は載せ盤９の受面部１８には接触しておらず、低段部１０は弾性変形した状態で下方に押圧され、これで床パネル１が固定される状態となる。このとき、パネル押え４はその締め付け力により縦リブ３０の変形を容易、かつ確実にするとともに、縦リブ３０の原形復帰力により床パネル１が浮き上がるのを確実に防止する効果を有する。したがって、縦リブ３０の剛性が高くても容易に変形させることが可能となり、床パネル１の位置規制力をより高く設定できる。
【００３０】
ところで、床パネル１には幅広狭別タイプがあって、幅広タイプと幅狭タイプがあることは上述した。そして、この場合でも、低段部１０の径及び低段部１０からコーナー側面部１１ａまでの長さは同じに設定されるが、これによると、首部１２の内外の幅が違ってくる。具体的には、幅狭タイプの首部１２の内周側では、起立部２７はコーナー側面部１１ａに接近して幅が狭くなるが、外周側では、載せ部２０の上に置く底面１５の面積を確保するため、通常その位置は変わらない。
【００３１】
そこで、高堰部１９の厚みや縦リブ３０の突出量は、幅広タイプのものでは、内周側では縦リブ３０の先端が起立部２７に接して幾分干渉するものにし、外周側では高堰部１９とコーナー側面部１１ａとの間に所定の隙間が確保されるものを標準としておく。こうすると、幅狭タイプのものでは、起立部２７が縦リブ３０に大きく干渉することになるが、この場合でも、高堰部１９の内周とではまだ隙間を有するものにし、また、高堰部１９には十分な剛性を確保しておき、縦リブ３０のみが変形することで首部１２が高堰部１９に挿入されるようにしておく。その他、縦リブ３０に替えて、例えば複数個設けた縦リブの突出端同士を連結して中空突起状の変形部に形成してもよい。要するに、変形部は首部１２の上方からの圧接干渉によって変形可能であり、変形後は床パネル１の水平位置を規制する相応の強度を備えていれば形状は問わないのである。
【００３２】
したがって、製作誤差等による高堰部１９と起立部２７との間隙については、小さい場合は縦リブ３０の変形量（潰れ）が大きくなり、大きい場合は縦リブ３０の潰れが小さくなるだけであり、首部１２の高堰部１９への挿入には問題はない。そして、相応の剛性を有する縦リブ３０が存在することによって床パネル１が位置ずれを起こそうとするのを抑制する。なお、高堰部１９の外周とコーナー側面部１１ａとの間には相応の隙間が形成されているのであるから、幅広狭別タイプや製作誤差による首部１２の隙間の大小を吸収し、首部１２が高堰部１９に干渉することなく挿入される。
【００３３】
以上を整理すると、首部１２の幅の広狭と変形量（潰れ）との関係はおよそ次の表１のようになる（幅狭タイプと幅広タイプの鋼板の板厚差が小さい場合は、製作誤差により変形量が逆転する場合も有り得る）。要するに、幅がもっとも狭い場合でも、縦リブ３０は潰れて首部１２の高堰部１９への挿入を許容し、幅がもっとも広い場合でも、縦リブ３０はごくわずかでも潰れ、起立部２７と縦リブ３０との間には位置ずれを引き起こす隙間は作らないのである。
【表１】
2008156900.tif 000003
【００３４】
図４は本発明の他の例を示す支持脚を用いた床パネルの敷設状態を示す平面図、図５は図４のＡ´−Ｏ−Ａ断面図であるが、本例のものは、突当部３２ａを載せ盤９の中心と高堰部１９の中心を通る対角線上に、高堰部１９とは分離して載せ部２０から起立させたピン状突起部３２の側面に設けたものである。これに伴い、床パネル１の底面１５のピン状突起部３２が存在する位置に位置決め孔３１をあけたものである。したがって、床パネル１を載せ盤９に載せるとき、このピン状突起部３２と位置決め孔３１を合わせて挿入状態で置くことになる。
【００３５】
このとき、ピン状突起部３２は平面視で外周側が９０°開く三角形にしてあり、頂点を床パネル１の対角線上に一致させている。これに伴って位置決め孔３１は床パネル１の対角線上に対角線を一致させた四角形にしている。そして、位置決め孔３１の内周側の隣接する二辺には位置決め側面部として孔側面部３１ａが上向きに折り曲げ形成されており、床パネル１を置くとき、孔側面部３１ａをピン状突起部３２の外周側の隣接する二つの辺に設けた突当部３２ａに沿わせるように置く。このとき、反対側に位置する孔側面部３１ａの外周側の隣接する二つの辺とピン状突起部３２との間には挿入を容易にするために隙間を確保している。これによると、床パネル１を載せ盤９に置く操作が容易になる。加えて、上記の例と同様に、床パネル１と支持脚３とを容易に正規の位置関係で嵌め合わせることが容易、かつ確実になる他、床パネル１の低段部側への移動及び水平面内での回転ずれが規制される。突当部３２ａ同士は離れた位置に設けるほど回転ずれ防止効果を高くすることができる。なお、縦リブ３０が設けられる点やその機能については上記と同じである。
【００３６】
図６は本発明の他の例を示す床パネルの支持構造の分解斜視図、図７は支持脚を用いた床パネルの敷設状態を示す平面図、図８は図７のＡ´−Ｏ−Ａ断面図であるが、本例のものは、受け盤及びナットに相当する部分をアルミダイキャストで載せ盤９と一体成形した例で、更に、縦リブに替えて別体の軟質ゴム等からなる弾性体３３を変形部として設けている他は図１〜図３に示した例と同じである。この場合の弾性体３３は、片面に接着剤層を設けた所定厚みの長方形のゴム片を高堰部１９の内周に貼り付けた簡単な構造のものであるが、弾性体３３の圧縮変形範囲内において床パネル１の幅広狭別タイプや製作誤差による首部１２の隙間の大小を吸収する効果が得られるのは上記した縦リブと同じであり、首部１２の嵌め込みをスムーズにするため、弾性体３３の上端角部は同様に面取りしたテーパー部に形成している。また、弾性体３３は高堰部１９に被せて取り付けできるようにキャップ状に形成してもよい。そうすれば、弾性体３３を取り付ける際の位置決めが容易になるし、首部１２の干渉によって弾性体３３が変形する際の剥がれを防止する効果が期待できる。
【図面の簡単な説明】
【００３７】
【図１】本発明の一例を示す床パネルの支持構造の分解斜視図である。
【図２】本発明の一例を示す床パネル支持構造の平面図である。
【図３】図２のＡ´−Ｏ−Ａ断面図である。
【図４】本発明の他の一例を示す
【図５】図４のＡ´−Ｏ−Ａ断面図である。
【図６】本発明の他の一例を示す床パネル支持構造の分解斜視図である。
【図７】本発明の他の一例を示す床パネル支持構造の平面図である。
【図８】図７のＡ´−Ｏ−Ａ断面図である。
【図９】従来例を示す床パネル支持構造の平面図である。
【図１０】図６のＡ´−Ｏ−Ａ断面図である。
【符号の説明】
【００３８】
１    床パネル
２    基礎床面
３    支持脚
４    パネル押え
５    接地板
６    ネジ支柱
７    ナット
８    受け盤
９    載せ盤
１０  低段部
１１ａコーナー側面部
１１ｂ辺側面部（位置決め側面部）
１２  首部
１３  厚肉縁部
１４  床パネルの上面
１５  床パネルの底面
１６  パネル押えの頭部
１７  パネル押えの胴部
１８  受面部
１９  高堰部
２０  載せ部
２１  低堰部
２２  仕切り部
２２ａ突当部
２３  筒胴部
２４  下面板
２５  上面板
２６  低段部の切欠部
２７  起立部
２８  辺縁
２９  貫通孔
３０  縦リブ（変形部）
３１  孔
３１ａ孔側面部（位置決め側面部）
３２  ピン状突起部
３２ａ突当部
３３  弾性体（変形部）
【図１】
2008156900.tif 000004
【図２】
2008156900.tif 000005
【図３】
2008156900.tif 000006
【図４】
2008156900.tif 000007
【図５】
2008156900.tif 000008
【図６】
2008156900.tif 000009
【図７】
2008156900.tif 000010
【図８】
2008156900.tif 000011
【図９】
2008156900.tif 000012
【図１０】
2008156900.tif 000013